(57)【要約】【課題】汎用設定装置によるバックアップが実用可能となるマルチバリアブル質量流量伝送器システムを提供する。【解決手段】プロセスより検出される複数の物理量信号とパラメータ記憶手段に格納された流量補正係数とを用いて質量流量を演算するマルチバリアブル質量流量伝送器と、所定の演算に基づいて前記流量補正係数を生成する専用設定装置と、前記マルチバリアブル質量流量伝送器と前記専用設定装置とがそれぞれ接続されるネットワークとを備えるマルチバリアブル質量流量伝送器システムにおいて、前記ネットワークに接続され、前記パラメータ記憶手段に格納された値をバックアップする汎用設定装置を備え、前記マルチバリアブル質量流量伝送器は、前記パラメータ記憶手段の値に対する演算値を算出する健全性演算手段と、前記演算値と所定の健全性チェックパラメータとを比較する健全性判断手段とを備える。【選択図】                    図１
2007170913.tif 000002
【特許請求の範囲】
【請求項１】
プロセスより検出される複数の物理量信号とパラメータ記憶手段に格納された流量補正係数とを用いて質量流量を演算するマルチバリアブル質量流量伝送器と、
所定の演算に基づいて前記流量補正係数を生成する専用設定装置と、
前記マルチバリアブル質量流量伝送器と前記専用設定装置とがそれぞれ接続されるネットワークと
を備えるマルチバリアブル質量流量伝送器システムにおいて、
前記ネットワークに接続され、前記パラメータ記憶手段に格納された値をバックアップする汎用設定装置を備え、
前記マルチバリアブル質量流量伝送器は、
前記パラメータ記憶手段の値に対する演算値を算出する健全性演算手段と、
前記演算値と所定の健全性チェックパラメータとを比較する健全性判断手段と
を備える
ことを特徴とするマルチバリアブル質量流量伝送器システム。
【請求項２】
プロセスより検出される複数の物理量信号とパラメータ記憶手段に格納された流量補正係数とを用いて質量流量を演算するマルチバリアブル質量流量伝送器と、特別な演算に基づいて前記流量補正係数を生成する専用設定装置と、前記マルチバリアブル質量流量伝送器と前記専用設定装置とがそれぞれ接続されるネットワークとを備えるマルチバリアブル質量流量伝送器システムのバックアップ方法において、
前記ネットワークに接続され、前記パラメータ記憶手段に格納された値をバックアップする汎用設定装置を備え、
前記マルチバリアブル質量流量伝送器は、前記パラメータ記憶手段の値に対する演算値を算出する健全性演算手段と、前記演算値と所定の健全性チェックパラメータとを比較する健全性判断手段とを備え、
前記専用設定装置が前記流量補正係数を生成すると共にこの流量補正係数のチェックサムを実施するステップ、前記パラメータ記憶手段が前記ネットワークを介してこの流量補正係数及びチェックサムの結果を格納し、このチェックサムの結果を前記健全性チェックパラメータとするステップ、前記汎用設定装置が前記ネットワークを介して前記パラメータ記憶手段に格納された値をバックアップするステップ、前記健全性演算手段が前記パラメータ記憶手段に格納された値に対するチェックサムの演算値を算出するステップ、前記健全性判断手段が前記演算値と所定の健全性チェックパラメータとを比較するステップ、を備える
ことを特徴とするマルチバリアブル質量流量伝送器システムのバックアップ方法。
【発明の詳細な説明】
【技術分野】
【０００１】
本発明は、マルチバリアブル質量流量伝送器（多変数伝送器）及びマルチバリアブル質量流量伝送器システムのバックアップ方法に関する。
【背景技術】
【０００２】
マルチバリアブル質量流量伝送器は、プロセスより検出される複数の物理量信号を入力し、マイクロプロセッサ等により質量流量を演算し、例えば、通信規格に基づくプロトコルによる通信を行い、質量流量の演算の値をフィールドバス（ネットワーク）４０へ出力・伝送するものである（例えば、特許文献１参照）。
【０００３】
図３は、従来のマルチバリアブル質量流量伝送器を示す構成図である。同図において、マルチバリアブル質量流量伝送器１０’は、オリフィス（図示せず）を有するパイプ（図示せず）中の流体の上流側圧力と下流側圧力と温度とをそれぞれ検出し、差圧と静圧と温度とをそれぞれ演算し、流体の質量流量を演算しフィールドバス４０へ伝送する。
【０００４】
詳しくは、マルチバリアブル質量流量伝送器１０’は、流量補正係数を格納するパラメータ記憶手段１１と質量流量演算手段１２とを備える。また、パラメータ記憶手段１１には、流量補正係数以外に、測定レンジその他が格納される。そして、質量流量演算手段１２は、この流量補正係数を用いて、質量流量を演算する。
【０００５】
一方、専用設定装置２０は、フィールドバス４０に接続される。また、専用設定装置２０は、特別な非公開の演算に基づいて流量補正係数を生成する流量補正係数演算手段２１を備える。そして、この専用設定装置２０は、流量補正係数演算手段２１が演算した流量補正係数を、フィールドバス４０を介して、マルチバリアブル質量流量伝送器１０’のパラメータ記憶手段１１に格納する。
【０００６】
このことにより、マルチバリアブル質量流量伝送器１０’は、様々な流体の質量流量を演算できるようになり、アプリケーションの適用範囲が拡大する。具体的には、流体の種類・状態が変化した場合、専用設定装置２０の流量補正係数演算手段２１で流量補正係数を演算し、マルチバリアブル質量流量伝送器１０’のパラメータ記憶手段１１の値を更新することで、正しい質量流量の演算値を得ることができる。
【０００７】
また、マルチバリアブル質量流量伝送器１０’の流量補正係数を更新することは、頻繁に行われるという事情がある。言い換えれば、マルチバリアブル質量流量伝送器１０’を有効に活用するためには、流量補正係数を頻繁に更新することが欠かせない。
【０００８】
さらに、専用設定装置２０は、記憶手段２２を備える。そして、記憶手段２２は、例えば、パラメータ記憶手段１１に格納された値（データ）をバックアップする。
【０００９】
詳しくは、マルチバリアブル質量流量伝送器１０’が正常のときに、記憶手段２２は、フィールドバス４０を介して、パラメータ記憶手段１１の値をコピーし、格納する。そして、マルチバリアブル質量流量伝送器１０’が非正常となったときに、パラメータ記憶手段１１は、フィールドバス４０を介して、記憶手段２２の値をコピーし、格納する。
【００１０】
あるいは、マルチバリアブル質量流量伝送器１０’のパラメータ記憶手段１１の値を記憶手段２２に格納し、この記憶手段２２の値を別のマルチバリアブル質量流量伝送器（図示せず）のパラメータ記憶手段（図示せず）に格納する。
【００１１】
このような、専用設定装置２０によるバックアップ動作は、信頼性が高い。詳しくは、専用設定装置２０は、マルチバリアブル質量流量伝送器１０’の特性が十分考慮された動作を行う。また、例えば、バックアップの際に、流量補正係数演算手段２１で流量補正係数を再度演算して、データの健全性を確認することもできる。
【００１２】
一方、汎用である汎用設定装置３０がフィールドバス４０に接続されることがある。さらに、汎用設定装置３０は、記憶手段２２に相当する構成の記憶手段３２を備える。また、汎用設定装置３０は、流量補正係数演算手段２１に相当する構成を有さない。
【００１３】
そして、記憶手段３２がパラメータ記憶手段１１に格納された値（データ）をバックアップしたいという要求がある。
【００１４】
【特許文献１】特開２００５−１９０４６１号公報
【発明の開示】
【発明が解決しようとする課題】
【００１５】
しかしながら、汎用設定装置３０によるバックアップ動作は信頼性が低いという課題がある。そして、汎用設定装置３０は、流量補正係数演算手段２１に相当する構成を有さないため、データの健全性を確認できない。つまり、汎用設定装置３０によるバックアップ動作によってデータの健全性が失われるという課題がある。
【００１６】
このようなことから、汎用設定装置３０によるバックアップは実施されていないという事情がある。
【００１７】
本発明の目的は、以上説明した課題を解決するものであり、汎用設定装置によるバックアップが実用可能となるマルチバリアブル質量流量伝送器システム及びマルチバリアブル質量流量伝送器システムのバックアップ方法を提供することにある。
【課題を解決するための手段】
【００１８】
このような目的を達成する本発明は、次の通りである。
（１）プロセスより検出される複数の物理量信号とパラメータ記憶手段に格納された流量補正係数とを用いて質量流量を演算するマルチバリアブル質量流量伝送器と、所定の演算に基づいて前記流量補正係数を生成する専用設定装置と、前記マルチバリアブル質量流量伝送器と前記専用設定装置とがそれぞれ接続されるネットワークとを備えるマルチバリアブル質量流量伝送器システムにおいて、前記ネットワークに接続され、前記パラメータ記憶手段に格納された値をバックアップする汎用設定装置を備え、前記マルチバリアブル質量流量伝送器は、前記パラメータ記憶手段の値に対する演算値を算出する健全性演算手段と、前記演算値と所定の健全性チェックパラメータとを比較する健全性判断手段とを備えることを特徴とするマルチバリアブル質量流量伝送器システム。
（２）プロセスより検出される複数の物理量信号とパラメータ記憶手段に格納された流量補正係数とを用いて質量流量を演算するマルチバリアブル質量流量伝送器と、特別な演算に基づいて前記流量補正係数を生成する専用設定装置と、前記マルチバリアブル質量流量伝送器と前記専用設定装置とがそれぞれ接続されるネットワークとを備えるマルチバリアブル質量流量伝送器システムのバックアップ方法において、前記ネットワークに接続され、前記パラメータ記憶手段に格納された値をバックアップする汎用設定装置を備え、前記マルチバリアブル質量流量伝送器は、前記パラメータ記憶手段の値に対する演算値を算出する健全性演算手段と、前記演算値と所定の健全性チェックパラメータとを比較する健全性判断手段とを備え、前記専用設定装置が前記流量補正係数を生成すると共にこの流量補正係数のチェックサムを実施するステップ、前記パラメータ記憶手段が前記ネットワークを介してこの流量補正係数及びチェックサムの結果を格納し、このチェックサムの結果を前記健全性チェックパラメータとするステップ、前記汎用設定装置が前記ネットワークを介して前記パラメータ記憶手段に格納された値をバックアップするステップ、前記健全性演算手段が前記パラメータ記憶手段に格納された値に対するチェックサムの演算値を算出するステップ、前記健全性判断手段が前記演算値と所定の健全性チェックパラメータとを比較するステップ、を備えることを特徴とするマルチバリアブル質量流量伝送器システムのバックアップ方法。
【発明の効果】
【００１９】
本発明によれば次のような効果がある。
本発明によれば、汎用設定装置によるバックアップが実用可能となるマルチバリアブル質量流量伝送器システム及びマルチバリアブル質量流量伝送器システムのバックアップ方法を提供できる。
【００２０】
また、本発明によれば、マルチバリアブル質量流量伝送器システムの信頼性を確保しつつ、利便性を良くすることができる。
【発明を実施するための最良の形態】
【００２１】
以下に図１に基づいて本発明を詳細に説明する。図１は、本発明の一実施例を示す構成図である。図３の従来例と同一の要素には同一符号を付し、説明を省略する。
【００２２】
図１の実施例の特徴は、マルチバリアブル質量流量伝送器１０が、健全性演算手段１３、健全性判断手段１４を備える点にある。
【００２３】
マルチバリアブル質量流量伝送器１０は、パラメータ記憶手段１１、質量流量演算手段１２、健全性演算手段１３、健全性判断手段１４、パスワード処理手段１５その他を備える。
【００２４】
健全性演算手段１３は、パラメータ記憶手段１１に格納された流量補正係数に対する演算値を算出する。具体的には、例えば、チェックサムを実施する。詳しくは、データを所定のきまりで分割し、それぞれのブロック内のデータを数値とみなして合計（演算値）を算出する。
【００２５】
また、健全性判断手段１４は、健全性演算手段１３が算出した演算値と、所定の値である健全性チェックパラメータとを比較する。そして、健全性演算手段１３が算出した演算値と健全性チェックパラメータとが一致であれば健全であると判断する。このとき、マルチバリアブル質量流量伝送器１０は正常に質量流量を演算する。
【００２６】
さらに、健全性演算手段１３が算出した演算値と健全性チェックパラメータとが不一致であれば非健全であると判断し、マルチバリアブル質量流量伝送器１０はアラームを発生し、フィールドバス４０に伝送する。このとき、マルチバリアブル質量流量伝送器１０は正常に質量流量を演算できない。
【００２７】
したがって、図１の実施例は、汎用設定装置３０によるバックアップが実用可能となる。詳しくは、汎用設定装置３０によるバックアップ動作によってデータの健全性が失われた場合には、アラームが発生するため、補修が可能になる。データの健全性が失われた状態が放置されることがない。
【００２８】
一方、パスワード処理手段は、健全性判断手段１４に係る健全性チェックパラメータの設定に対してパスワードを設定する。そして、専用設定装置２０は、このパスワードを有する。
【００２９】
以下に、図１の実施例の動作手順について説明する。
専用設定装置２０の流量補正係数演算手段２１は、特別な非公開の演算に基づいて流量補正係数を生成すると共に、例えば、この流量補正係数のチェックサムを実施する（ステップ１）。
【００３０】
そして、この専用設定装置２０は、パスワード処理手段１５にアクセスする（ステップ２）。このとき、マルチバリアブル質量流量伝送器１０において健全性チェックパラメータが設定可能となる。
【００３１】
そしてまた、専用設定装置２０の流量補正係数演算手段２１が演算した流量補正係数とチェックサムの結果とを、フィールドバス４０を介して、マルチバリアブル質量流量伝送器１０のパラメータ記憶手段１１に格納する（ステップ３）。また、このチェックサムの結果を前記健全性チェックパラメータとする。
【００３２】
そして、汎用設定装置３０がパラメータ記憶手段１１に格納された値をバックアップする（ステップ４）。
【００３３】
そしてまた、マルチバリアブル質量流量伝送器１０において、健全性演算手段１３はパラメータ記憶手段１１に格納された値に対するチェックサムの演算値を算出する（ステップ５）。
【００３４】
そして、マルチバリアブル質量流量伝送器１０において、健全性判断手段１４は健全性演算手段１３が算出した演算値と健全性チェックパラメータとを比較する（ステップ６）。
【００３５】
このようにして、図１の実施例は、データの健全性を確保できる。よって、汎用設定装置３０によるバックアップ動作の信頼性を高くできる。
【００３６】
ここで、汎用設定装置３０がパスワードを有していない場合、汎用設定装置３０は、パスワード処理手段１５にアクセスしても拒否され、健全性チェックパラメータを更新することはできない。したがって、図１の実施例は、データの健全性を確保できる。
【００３７】
図２は、図１の実施例のパラメータ記憶手段１１の内部構成を示す構成図である。
【００３８】
パラメータ記憶手段１１は、一般パラメータ格納領域１１１、流量補正係数格納領域１１２、演算値格納領域１１３、健全性チェックパラメータ格納領域１１４、パスワード格納領域１１５を備える。これらの領域の特徴について整理する。
【００３９】
一般パラメータ格納領域１１１には測定レンジ等の情報が格納され、流量補正係数格納領域１１２には流量補正係数が格納され、演算値格納領域１１３には健全性演算手段１３が算出した演算値が格納され、健全性チェックパラメータ格納領域１１４には健全性判断手段１４に用いる健全性チェックパラメータが格納される。
【００４０】
専用設定装置２０と一般パラメータ格納領域１１１とのアクセスＡは制限がない。同様に、汎用設定装置３０と一般パラメータ格納領域１１１とのアクセスＢも制限がない。
【００４１】
また、専用設定装置２０と流量補正係数格納領域１１２とのアクセスＣは制限がなく、専用設定装置２０は特別な演算に基づいて流量補正係数の生成もできる。さらにまた、汎用設定装置３０と流量補正係数格納領域１１２とのアクセスＤは制限がないが、汎用設定装置３０は流量補正係数の生成はできない。
【００４２】
さらに、専用設定装置２０及び汎用設定装置３０は、演算値格納領域１１３にアクセスすることはできない。
【００４３】
また、専用設定装置２０と健全性チェックパラメータ格納領域１１４とのアクセスＥはパスワードが一致したときのみチェックパラメータ格納領域１１４への書き込みができる。同様に、汎用設定装置３０と健全性チェックパラメータ格納領域１１４とのアクセスＥはパスワードが一致したときのみチェックパラメータ格納領域１１４への書き込みができる。
【００４４】
さらに、専用設定装置２０とパスワード格納領域１１５とのアクセスＧはパスワードが一致するかどうかの処理をする。同様に、汎用設定装置３０とパスワード格納領域１１５とのアクセスＨはパスワードが一致するかどうかの処理をする。
【００４５】
また、本発明は、上述の実施例に限定されることなく、その本質を逸脱しない範囲でさらに多くの変更及び変形を含むものである。
【図面の簡単な説明】
【００４６】
【図１】本発明の一実施例を示す構成図である。
【図２】図１の実施例のパラメータ記憶手段１１の内部構成を示す構成図である。
【図３】従来のマルチバリアブル質量流量伝送器を示す構成図である。
【符号の説明】
【００４７】
１０  マルチバリアブル質量流量伝送器
１１  パラメータ記憶手段
１２  質量流量演算手段
１３  健全性演算手段
１４  健全性判断手段
１５  パスワード処理手段
２０  専用設定装置
２１  質量流量係数演算手段
２２，３２  記憶手段
３０  汎用設定装置
【図１】
2007170913.tif 000003
【図２】
2007170913.tif 000004
【図３】
2007170913.tif 000005